(57)【要約】【課題】定着温度過昇及び定着サーミスタ出力へノイズがのった時の誤動作を確実かつ安価に防止し、かつリレー故障を検出可能とする。【解決手段】主発熱体遮断手段１１のオン／オフによらずゼロクロス信号が発生するため、定着二重監視回路が無効化されるタイミングが無く、かつ主発熱体遮断手段１１の故障検出が可能である。すなわち、主発熱体遮断手段１１の異常検出にゼロクロスを使用しないことにより、ゼロクロス信号を出力する周波数検出手段１２を主発熱体遮断手段１１の前段に配置することができるので、安価なコストで定着二重監視回路を構成することができ、ノイズ除去手段１７に一定周期のクロックを入力することができる。これにより、定着温度過昇及び定着サーミスタ出力へノイズがのった時の誤動作を確実かつ安価に防止することができ、かつ主発熱体遮断手段１１のリレー故障を検出することができる。【選択図】        図１
2006276276.tif 000002
【特許請求の範囲】
【請求項１】
商用電源から供給される電力により発熱する主発熱体及び補助電源装置から供給される電力により発熱する補助発熱体を有している加熱部の温度を制御手段及び温度過昇検出手段により監視する定着二重監視機構を備え、前記定着二重監視機構におけるノイズ除去手段のクロック入力として周波数検出手段から出力されるゼロクロス信号を使用する画像形成装置において、
前記加熱部の温度を検出する温度検出手段と、
前記周波数検出手段の後段に設けられ、前記商用電源から前記主発熱体への電力供給を遮断する主発熱体遮断手段と、
前記温度検出手段の出力変化度合いに基づいて、前記主発熱体遮断手段の故障診断を行う異常発生判断手段と、
を備えることを特徴とする画像形成装置。
【発明の詳細な説明】
【技術分野】
【０００１】
本発明は、トナー等により形成された未定着画像を記録媒体上に定着させるための定着装置を備える複写機、プリンタ、ファクシミリ等の画像形成装置に関する。
【背景技術】
【０００２】
複写機、プリンタ、ファクシミリ等の画像形成装置において、トナー等により形成された未定着画像を記録媒体上に定着させるための熱定着装置は周知である。このような熱定着装置を備えた画像形成装置においては、定着温度が設定温度以上に上昇した場合の事故を防止するために、定着温度監視機構を備えている。一般的には、サーミスタ等の温度検出手段を設けて定着温度を検知し、これをＣＰＵ（Central Processing Unit）等のマイクロプロセッサを主体とする制御手段により監視するようにしている。すなわち、図４に示すように、ＣＰＵにより定着制御を司るものがこれに相当する。なお、図４において、定着ヒータのオフ直後に定着温度が若干上昇、逆に定着ヒータのオン直後に定着温度が若干低下しているのは各々オーバーシュート、アンダーシュートによるものである。
【０００３】
しかし、何らかの原因でＣＰＵが故障したり、暴走したりした場合には、定着装置が破損するだけに止まらず、画像形成装置の発火事故につながる恐れもある。このような事故を防止するために、定着温度の二重監視機構を備えるものが提案されている。
【０００４】
従来の定着温度の二重監視機構としては、上記ＣＰＵに加えて、定着温度をコンパレータ等で監視し、その出力で定着ヒータのオン信号をゲートするものがある。すなわち、ＣＰＵとコンパレータが共に定着ヒータをオンさせる指令（信号）を出したときだけゲートがオンして定着ヒータに通電するものである。
【０００５】
この構成では定着温度が異常検出温度を上回っている時のみゲートをオフする、即ち定着温度が異常検出温度を下回ってしまうと再びゲートがオンされてしまうため、図５に示すように、定着ヒータのオン／オフを繰り返してしまう。結果的に定着リレー接点で定着ヒータをオン／オフすることになってしまい、リレー溶着を招く可能性がある。
【０００６】
そこで、特許文献１では、定着リレー接点の溶着を防ぐために定着二重監視機構に記憶手段を設け、定着二重監視機構が一旦温度過昇を検知するとその状態を記憶し、定着温度が異常検出温度より下がってもゲートがオフし続けるようにしている（図６参照）。
【０００７】
しかしながら、特許文献１に開示されている技術によれば、記憶手段を設けた構成とすることにより安全性は確保されたが、通常動作において誤動作を起こす可能性がある。定着サーミスタ出力にノイズがのり、基準電圧を下回る電圧が定着サーミスタ出力としてコンパレータに入力され、コンパレータが定着温度過昇を示す状態を出力してしまうと、記憶手段はごく短時間の温度過昇状態でもその状態を記憶してしまうため、定着温度制御に何の問題も無いにも関わらず定着ヒータがオンできない状態になってしまう可能性がある。
【０００８】
そこで、特許文献２では、フリップフロップを使用しそのクロックとしてゼロクロス信号を使用した構成が提案されている。これによれば、追加部品がフリップフロップ１個のみでかつそのクロックとして入力するゼロクロス信号も定着ヒータ制御でもともと使用している信号であるため、定着サーミスタ出力にのったノイズによる誤動作防止を低コストで実現することができる。
【０００９】
また、補助電源装置としてコンデンサ（キャパシタ）を内蔵し、省エネ・立ち上がり時間短縮を達成する加熱装置が提案されている（例えば、特許文献３参照）。
【００１０】
具体的には、従来と同様に設けられた主電源装置（通常は商用電源）から供給される電力の他に、コンデンサで構成された補助電源装置から供給される電力も加熱装置に供給するものである。このように構成することにより、商用電源からの入力は日本国内の一般的な商用電源の定格である１００Ｖ１５Ａを超えずに、加熱装置へ大電力を供給することが可能となり、（１）立ち上がり時間短縮、（２）低電力モードが無くなることによる省エネ、を達成することができる。
【００１１】
【特許文献１】特開平１０−３０７５１４号公報
【特許文献２】特開平１１−３０９２７号公報
【特許文献３】特開２０００−３１５５６７号公報
【発明の開示】
【発明が解決しようとする課題】
【００１２】
ところが、上述したような特許文献２に開示されている構成は、定着サーミスタ出力にのったノイズによる誤動作防止を低コストで実現できる構成であるが、これを特許文献３に開示されているようなキャパシタを補助電源として搭載した画像形成装置に展開した場合、安全性に問題がある。
【００１３】
より詳細には、特許文献２の定着二重監視機構は、誤動作防止（ノイズ除去）用フリップフロップのクロック入力としてゼロクロス信号を使用しているが、ゼロクロス信号が発生しない状態（ＡＣヒータリレーオフ時もしくはＡＣヒータリレーオープン故障時といったゼロクロス検知回路に商用電源が印加されない状態）ではクロック入力がＨ固定となってしまうためコンパレータ出力をラッチできず、温度過昇状態でも定着二重監視機構による定着ヒータ強制オフができなくなってしまう。従来のような定着ヒータの電力が商用電源からのみ供給されるような場合は、ゼロクロス信号無しはＡＣヒータリレーオフ、即ち定着ヒータへの電力供給源が遮断されていることと同義であるため問題はなかったが、キャパシタを補助電源として搭載した画像形成装置では、ＡＣヒータリレーオフ状態でもキャパシタから定着ヒータへの電力供給経路が存在するため、安全性に問題が生じることになる。
【００１４】
本発明は、上記に鑑みてなされたものであって、定着温度過昇及び定着サーミスタ出力へノイズがのった時の誤動作を確実かつ安価に防止し、かつリレー故障を検出可能とすることを目的とする。
【課題を解決するための手段】
【００１５】
上述した課題を解決し、目的を達成するために、請求項１にかかる発明は、商用電源から供給される電力により発熱する主発熱体及び補助電源装置から供給される電力により発熱する補助発熱体を有している加熱部の温度を制御手段及び温度過昇検出手段により監視する定着二重監視機構を備え、前記定着二重監視機構におけるノイズ除去手段のクロック入力としてゼロクロス信号を使用する画像形成装置において、前記加熱部の温度を検出する温度検出手段と、前記周波数検出手段の後段に設けられ、前記商用電源から前記主発熱体への電力供給を遮断する主発熱体遮断手段と、前記温度検出手段の出力変化度合いに基づいて、前記主発熱体遮断手段の故障診断を行う異常発生判断手段と、を備える。
【発明の効果】
【００１６】
請求項１にかかる発明によれば、主発熱体遮断手段のオン／オフによらずゼロクロス信号が発生するため、定着二重監視機構が無効化されるタイミングが無く、かつ主発熱体遮断手段の故障検出が可能である。すなわち、主発熱体遮断手段の異常検出にゼロクロス信号を使用しないことにより、周波数検出手段を主発熱体遮断手段の前段に配置することができるので、安価なコストで定着二重監視機構を構成することができ、定着二重監視機構の周波数検出手段の出力を用いてノイズ除去を行うノイズ除去手段に一定周期のクロックを入力することができる。これにより、定着温度過昇及び定着サーミスタ出力へノイズがのった時の誤動作を確実かつ安価に防止することができ、かつ主発熱体遮断手段のリレー故障を検出することができる。
【発明を実施するための最良の形態】
【００１７】
以下に添付図面を参照して、この発明にかかる画像形成装置の最良な実施の形態を詳細に説明する。
【００１８】
本発明の実施の一形態を図１ないし図６に基づいて説明する。
【００１９】
図１は、本発明の実施の一形態に係る画像形成装置中の定着ヒータ関連部分のみを抜粋したブロック図である。図１に示す画像形成装置１００は、加熱部１と補助電源装置２と主発熱体駆動部３と補助発熱体駆動部（キャパシタヒータ駆動回路）４と制御部５とを有している。
【００２０】
加熱部１は、商用電源６から供給される電力により発熱する主発熱体（ＡＣヒータ）７と、補助電源装置２から供給される電力により発熱する補助発熱体（キャパシタヒータ）８と、加熱部１内の温度を検出する温度検出手段（サーミスタ）９とを有している。
【００２１】
補助電源装置２は、充放電可能な蓄電装置（例えば電気二重層コンデンサ）を有している。
【００２２】
主発熱体駆動部３は、商用電源６から主発熱体７への電力供給を制御する主発熱体駆動手段１０と、商用電源６から主発熱体７への電力供給を遮断する主発熱体遮断手段（ＡＣヒータリレー）１１とを有している。加えて、本実施の形態においては、商用電源６と主発熱体駆動部３の主発熱体遮断手段（ＡＣヒータリレー）１１との間に、商用電源６の周波数を検出する周波数検出手段（ゼロクロス検知回路）１２が設けられている。
【００２３】
補助発熱体駆動部４は、補助電源装置２から補助発熱体８への電力供給を制御する補助発熱体駆動手段１３と、補助電源装置２から補助発熱体８への電力供給を遮断する補助発熱体遮断手段（キャパシタヒータリレー）１４とを有している。
【００２４】
制御部５は、加熱部１の温度過昇を検出する温度過昇検出手段（コンパレータ）１５と、温度過昇検出手段１５が検出した温度過昇情報を記憶する温度過昇記憶手段（フリップフロップ２）１６と、温度過昇検出手段１５と温度過昇記憶手段１６との間に設けられ、周波数検出手段１２の出力を用いてノイズ除去を行うノイズ除去手段（フリップフロップ１）１７と、温度過昇記憶手段１６の出力により主発熱体７の主発熱体制御信号を強制的にオフする主発熱体強制オフ手段（ゲート）１８と、温度過昇記憶手段１６の出力により補助発熱体８の補助発熱体制御信号を強制的にオフする補助発熱体強制オフ手段（ゲート）１９と、画像形成装置１００の制御を行う制御手段であるＣＰＵ（Central Processing Unit）２０とを有している。
【００２５】
ここで、商用電源６は、メインスイッチ２１を介して補助電源装置２を充電するための充電器２２と、画像形成装置１００の動作に必要なＤＣ電源を生成する図示しないＰＳＵ（Ｐｏｗｅｒ Ｓｕｐｐｌｙ Ｕｎｉｔ）とに供給される。
【００２６】
また、商用電源６は、メインスイッチ２１を介さずにＡＣヒータ駆動回路３へ入力される。なお、メインスイッチ２１は、ＡＣヒータ駆動回路３、ＰＳＵ、充電器２２の共通経路上（商用電源６が画像形成装置１００に入力されて分岐する前）に配置することも可能だが、そのように構成するとメインスイッチ２１にＡＣヒータ７の電流も通電されることになり、定格電流の非常に大きいメインスイッチ２１を選定しなければならなくなってしまうため、ＡＣヒータ駆動回路３の電力供給経路から分離するのが一般的である。
【００２７】
ＰＳＵは、商用電源６を整流、降圧し、画像形成装置１００内で使用される電源を生成する。ＰＳＵが生成する電源は主に２系統であり、１系統は主に制御系で使用されるＶｃｃ、他の１系統は主に駆動系で使用されるＶａａである。
【００２８】
定着部１内に配置される図示しない定着ローラには、発熱部材であるＡＣヒータ７及びキャパシタヒータ８が設けられる。ＡＣヒータ７は、商用電源６を電力源とし、ＡＣヒータ駆動回路３によりオン／オフ制御される。キャパシタヒータ８は、補助電源装置２に充電された電力を電力源とし、キャパシタヒータ駆動回路４によりオン／オフ制御される。補助電源装置２は、充電器２２により充電される。充電器２２にはメインスイッチ２１を介して商用電源６が入力され、画像形成装置１００の制御部５からの図示しない制御信号により充電制御される。
【００２９】
定着ローラの近傍には、定着ローラの表面温度（温度過昇）を検出するための温度過昇検出手段（温度検出手段）としてのサーミスタ（以下定着サーミスタ）９が設けられており、この定着サーミスタ９の抵抗値が温度により変化することにより制御部５は定着ローラの表面温度を検出する。この定着サーミスタ９には、一般的に負特性（温度が上がると抵抗値が低くなる）のサーミスタが使用される。
【００３０】
キャパシタヒータ駆動回路４は、通常時のキャパシタヒータ８のオン／オフ制御のために使用する補助発熱体駆動手段としてのＦＥＴ（電界効果トランジスタ）1３と、異常時にキャパシタヒータ８への電力供給を遮断するキャパシタヒータリレー１４とで構成される。ＦＥＴ１３とキャパシタヒータリレー１４は何れも制御部５によりそのオン／オフが制御される。
【００３１】
ＡＣヒータ駆動回路３は、通常時のＡＣヒータ７のオン／オフ制御のために使用する主発熱体駆動手段としてのトライアック１０、及び異常時にＡＣヒータ７への電力供給を遮断するＡＣヒータリレー１１で構成される。トライアック１０とＡＣヒータリレー１１は何れも制御部５によりそのオン／オフが制御される。
【００３２】
商用電源６のゼロクロス点を検知する周波数検出手段（ゼロクロス検知回路）１２は、商用電源６と主発熱体駆動部３の主発熱体遮断手段（ＡＣヒータリレー）１１との間に設けられている。ゼロクロス検知回路１２の出力であるゼロクロス信号は、制御部５へ入力され、定着ヒータの位相制御等に使用される。位相制御は本発明とは無関係であるため詳細の説明は省略する。
【００３３】
制御部５は、画像形成装置１００の制御を行うＣＰＵ２０、定着高温異常時にＣＰＵ２０のＩ／Ｏポート出力によらずＡＣヒータ７、キャパシタヒータ８を強制オフするための定着二重監視機構、及びＡＣヒータリレー１１のオン／オフ信号、キャパシタヒータリレー１４のオン／オフ信号、ＡＣヒータ７のオン／オフ信号、キャパシタヒータ８のオン／オフ信号をＡＣヒータ駆動回路３およびキャパシタヒータ駆動回路４で出力するためのドライバ２３〜２６とで構成される。
【００３４】
定着二重監視機構は、コンパレータ１５、フリップフロップ１（１７）、フリップフロップ２（１６）、ゲート１８、１９等で構成される。
【００３５】
コンパレータ１５は、定着サーミスタ９の出力を用い定着部１が温度過昇となっている否かの判定を行う。コンパレータ１５の反転入力（−）には、ＰＳＵで生成された電圧Ｖｃｃを２つの抵抗Ｒ１、Ｒ２で分圧して生成した基準電圧を入力する。コンパレータ１５の非反転入力（＋）には、ＰＳＵで生成された電圧Ｖｃｃを抵抗Ｒ３と定着サーミスタ９で分圧して生成した電圧を入力する。抵抗Ｒ１、Ｒ３の抵抗値を同じ値としておくことにより、定着サーミスタ９の抵抗値が抵抗Ｒ２の抵抗値よりも大きいか小さいかでコンパレータ１５の出力が決定される。
【００３６】
定着サーミスタ９の抵抗値が抵抗Ｒ２の抵抗値よりも大きい時は非反転入力（＋）の電圧の方が高くなるのでＨ（「１」論理レベル）を出力し、定着サーミスタ９の抵抗値が抵抗Ｒ２の抵抗値よりも小さい時は反転入力（＋）の電圧の方が高くなるのでＬ（「０」論理レベル）を出力する。定着温度過昇検知温度は、抵抗Ｒ２の抵抗値により決定される。
【００３７】
例えば定着温度過昇検知温度を２００℃に設定する場合、２００℃時の定着サーミスタ９の抵抗値を抵抗Ｒ２の抵抗値とする。また、抵抗Ｒ３と定着サーミスタ９とで分圧して生成した電圧は、ＣＰＵ２０のＡ／Ｄ入力にも接続され、ＣＰＵ２０による定着温度制御に使用される。
【００３８】
コンパレータ１５の出力は、ノイズ除去を目的としたフリップフロップ１（１７）のデータ入力（Ｄ）に接続される。フリップフロップ１（１７）のクロック入力にはゼロクロス信号が接続されており、ゼロクロス信号の立ち上がりエッジ毎にデータ入力をラッチする。ここで、図２はゼロクロス信号の発生状態を示す説明図である。図２に示すように、ゼロクロス信号は商用電源６の半波毎で１サイクルとなるので、東日本地域のように商用電源６の周波数が５０Ｈｚであればゼロクロス信号の周波数は１００Ｈｚになり、西日本地域のように商用電源６の周波数が６０Ｈｚであればゼロクロス信号の周波数は１２０Ｈｚになる。
【００３９】
ここで、画像形成装置１００を東日本地域で使用する場合を例にとってノイズ除去効果について説明する。フリップフロップ１（１７）のデータ入力はゼロクロス信号の立ち上がりエッジ毎にラッチされる、言い換えればゼロクロス信号が立ち上がる僅かな時間を除けばデータ入力はラッチされないということであり、ゼロクロス信号がＨ固定又はＬ固定となっているタイミングで定着サーミスタ９の出力にノイズが重畳してもそのノイズを誤ラッチしてしまうことはない。また、ゼロクロス信号は１００Ｈｚと比較的低速な信号であるため、データをラッチする間隔が比較的長くなりノイズ除去を達成するために好適なクロック入力である。
【００４０】
フリップフロップ１（１７）の出力（Ｑ）は温度過昇情報の記憶を目的としたフリップフロップ２（１６）のリセット入力（Ｒ、アクティブＬ）に接続される。前記コンパレータ１５の出力は定着温度過昇非検知時にＨとなり、定着温度過昇検知時にＬとなり、ゼロクロス信号の立ち上がりエッジによってフリップフロップ１（１７）にラッチされるので、定着温度過昇検知時にフリップフロップ２（１６）のリセット入力がＬとなる。フリップフロップ２（１６）がリセットされると反転出力（−Ｑ）はＨとなる。定着温度過昇検知後に定着温度が下がった場合、コンパレータ１５の出力がＨ、フリップフロップ１（１７）の出力がＨとなり、フリップフロップ２（１６）のリセット入力がＨとなるが、リセット解除されてもフリップフロップ２（１６）のクロック入力である過昇検知解除信号が出力されない限り反転出力はＨを保持し続ける。
【００４１】
フリップフロップ２（１６）の反転出力は、ゲート１８、１９に接続される。ＣＰＵ２０が出力するＡＣヒータリレートリガ、キャパシタヒータリレートリガをこの信号でゲートすることにより、温度過昇検知時にＣＰＵ２０のＩ／Ｏポートの出力によらず各々のリレーはオフとなる。
【００４２】
ここで、本実施の形態における特有の作用について説明する。従来においては、ゼロクロス検知回路をＡＣヒータリレーの後段に配置し、ＡＣヒータリレーが正常であれば、ＡＣヒータリレーオン時はゼロクロス信号が検出され、ＡＣヒータリレーオフ時はゼロクロス信号が検出されないことを利用して、ＡＣヒータリレーの異常検出を行っていた。本実施の形態においては、周波数検出手段（ゼロクロス検知回路）１２を商用電源６と主発熱体遮断手段（ＡＣヒータリレー）１１との間に設け、主発熱体遮断手段（ＡＣヒータリレー）１１の異常検出を定着サーミスタ９の温度検出結果により行なうようにしたものである。
【００４３】
ここで、図３は定着サーミスタ９の温度検出結果による主発熱体遮断手段（ＡＣヒータリレー）１１の異常検出の流れを示すフローチャートである。図３に示すように、制御部５は、定着サーミスタ９で検出した定着ローラの表面温度（ｔｅｍｐ１）を取得すると（ステップＳ１）、主発熱体遮断手段（ＡＣヒータリレー）１１をオフ制御するとともに、ＣＰＵ２０が出力するＡＣヒータリレートリガをオン制御する（ステップＳ２）。
【００４４】
そして、制御部５は、規定時間経過後（ステップＳ３）、定着サーミスタ９で検出した定着ローラの表面温度（ｔｅｍｐ２）を取得し（ステップＳ４）、ｔｅｍｐ２と先に取得したｔｅｍｐ１との温度差が規定温度（α）内であるか否かを判断する（ステップＳ５）。
【００４５】
制御部５は、ｔｅｍｐ２と先に取得したｔｅｍｐ１との温度差が規定温度（α）内であると判断した場合には（ステップＳ５のＹ）、主発熱体遮断手段（ＡＣヒータリレー）１１をオン制御するとともに、ＣＰＵ２０が出力するＡＣヒータリレートリガをオフ制御し（ステップＳ６）、規定時間経過後（ステップＳ７）、定着サーミスタ９で検出した定着ローラの表面温度（ｔｅｍｐ３）を取得し（ステップＳ８）、ｔｅｍｐ３と先に取得したｔｅｍｐ２との温度差が規定温度（β）を超えているか否かを判断する（ステップＳ９）。
【００４６】
制御部５は、ｔｅｍｐ３と先に取得したｔｅｍｐ２との温度差が規定温度（β）を超えていると判断した場合には（ステップＳ９のＹ）、主発熱体遮断手段（ＡＣヒータリレー）１１における異常検出はないものと判断し、処理を終了する。
【００４７】
一方、ｔｅｍｐ２と先に取得したｔｅｍｐ１との温度差が規定温度（α）を超えていると判断した場合には（ステップＳ５のＮ）、定着部１内に配置される定着ローラの温度上昇が大きいとして、主発熱体遮断手段（ＡＣヒータリレー）１１の故障フラグ１（溶着故障）をオン制御する（ステップＳ１０：異常発生判断手段）。また、ｔｅｍｐ３と先に取得したｔｅｍｐ２との温度差が規定温度（β）内であると判断した場合には（ステップＳ９のＮ）、定着部１内に配置される定着ローラの温度上昇が小さいとして、主発熱体遮断手段（ＡＣヒータリレー）１１の故障フラグ２（オープン故障）をオン制御する（ステップＳ１１：異常発生判断手段）。
【００４８】
このように本実施の形態によれば、主発熱体遮断手段（ＡＣヒータリレー）１１のオン／オフによらずゼロクロス信号が発生するため、定着二重監視回路が無効化されるタイミングが無く、かつ主発熱体遮断手段（ＡＣヒータリレー）１１の故障検出が可能である。すなわち、主発熱体遮断手段（ＡＣヒータリレー）１１の異常検出にゼロクロスを使用しないことにより、ゼロクロス信号を出力する周波数検出手段（ゼロクロス検知回路）１２を主発熱体遮断手段（ＡＣヒータリレー）１１の前段に配置することができるので、安価なコストで定着二重監視回路を構成することができ、定着二重監視回路の周波数検出手段１２の出力を用いてノイズ除去を行うノイズ除去手段（フリップフロップ１）１７に一定周期のクロックを入力することができる。これにより、定着温度過昇及び定着サーミスタ出力へノイズがのった時の誤動作を確実かつ安価に防止することができ、かつ主発熱体遮断手段（ＡＣヒータリレー）１１のリレー故障を検出することができる。
【図面の簡単な説明】
【００４９】
【図１】本発明の実施の一形態に係る画像形成装置中の定着ヒータ関連部分のみを抜粋したブロック図である。
【図２】ゼロクロス信号の発生状態を示す説明図である。
【図３】定着サーミスタの温度検出結果によるＡＣヒータリレーの異常検出の流れを示すフローチャートである。
【図４】リレー、トライアック、定着ヒータの動作と定着温度との関係を示す説明図である。
【図５】リレー、トライアック、定着ヒータの動作と定着温度との関係を示す説明図である。
【図６】リレー、トライアック、定着ヒータの動作と定着温度との関係を示す説明図である。
【符号の説明】
【００５０】
１      加熱部
２      補助電源装置
６      商用電源
７      主発熱体
８      補助発熱体
９      温度検出手段
１１      主発熱体遮断手段
１２      周波数検出手段
１５      温度過昇検出手段
１７      ノイズ除去手段
２０      制御手段
１００    画像形成装置
【図１】
2006276276.tif 000003
【図２】
2006276276.tif 000004
【図３】
2006276276.tif 000005
【図４】
2006276276.tif 000006
【図５】
2006276276.tif 000007
【図６】
2006276276.tif 000008